(57)【要約】【課題】視覚効果の高い表示を行うことができる携帯端末装置を提供する。【解決手段】複数の発光素子１１と、複数の発光素子１１をそれぞれ選択的に駆動して、表示データに基づいて複数の発光素子１１にマトリックス表示させる制御部２１と、を備える。【選択図】  図２
2006033220.tif 000002
【特許請求の範囲】
【請求項１】
複数の発光素子と、
前記複数の発光素子をそれぞれ選択的に駆動して、表示データに基づく表示を行わせる発光素子駆動手段と、
を備える携帯端末装置。
【請求項２】
請求項１記載の携帯端末装置であって、
前記発光素子は、ＬＥＤ又は有機ＥＬである携帯端末装置。
【請求項３】
請求項１又は２記載の携帯端末装置であって、
電子メールに添付された表示データに基づいて、前記電子メールの着信タイミングで表示を行わせる着信処理手段を備える携帯端末装置。
【請求項４】
請求項１ないし３のいずれか一項記載の携帯端末装置であって、
イベントを検知するイベント検知手段と、
前記イベントと各表示データとの対応を示すテーブルと、を備え、
前記発光素子駆動手段は、前記テーブルを参照して、検知したイベントに対応する表示データに基づく表示を行わせる携帯端末装置。
【請求項５】
請求項４記載の携帯端末装置であって、
通信機能を有し、
前記イベント検知手段は、着信を検知し、
前記発光素子駆動手段は、着信中に、着信イベントに対応する表示データに基づく表示を行わせる携帯端末装置。
【請求項６】
請求項４又は５記載の携帯端末装置であって、
通信機能を有し、
前記イベント検知手段は、通信を検知し、
前記発光素子駆動手段は、通信中に、通信イベントに対応する表示データに基づく表示を行わせる携帯端末装置。
【請求項７】
請求項１ないし６のいずれか一項記載の携帯端末装置であって、
音声、画像、電波、電池残量等を検知するセンサと、
前記センサの検知出力と各表示データとの対応を示すテーブルと、を備え、
前記発光素子駆動手段は、前記テーブルを参照して、検知出力に対応する表示データに基づく表示を行わせる携帯端末装置。
【請求項８】
請求項１ないし７のいずれか一項記載の携帯端末装置であって、
時刻及び日付を把握する機能と、
前記時刻及び日付と各表示データとの対応を示すテーブルと、を備え、
前記発光素子駆動手段は、前記テーブルを参照して、時刻及び日付に対応する表示データに基づく表示を行わせる携帯端末装置。
【請求項９】
請求項１ないし８のいずれか一項記載の携帯端末装置であって、
前記表示データを作成及び変更する手段を備える携帯端末装置。
【請求項１０】
請求項１ないし９のいずれか一項記載の携帯端末装置であって、
前記発光素子駆動手段は、複数の前記表示データを順次表示させる携帯端末装置。
【発明の詳細な説明】
【技術分野】
【０００１】
本発明は、表示部を有する携帯端末装置に関するものである。
【背景技術】
【０００２】
従来、携帯電話装置やＰＤＡ、その他の携帯端末装置では、筐体を折り畳み自在に構成し、折り畳んだとき内側に位置する部分に第一の表示部であるメイン表示部、折り畳んだときでも外部に露出する部分に第二の表示部であるサブ表示部をそれぞれ取り付けたものが実用化されている（例えば、特許文献１参照。）。例えば携帯電話装置においては、メイン表示部では、発信時の相手の電話番号、相手の電話帳、電話履歴、その他を任意に表示可能にし、サブ表示部では、待ち受け時に時刻、着信時に着信相手などをそれぞれ表示するように構成している。したがって、待ち受け時には、サブ表示部で時刻を見ることができ、着信があれば、着信相手をサブ表示部で確認して、その後、着信に応答することができ、筐体を開いた状態では、相手の電話帳、電話履歴、発信時の電話番号などを任意に表示することができる。
【０００３】
【特許文献１】特開２００３−１９８６７５号公報（第８頁、図１）
【発明の開示】
【発明が解決しようとする課題】
【０００４】
一般に、表示装置は多くの情報を表示させることを目的とするため高精細化が進み、この為、画素ピッチが狭幅になるとともに、画素サイズも小さくなる傾向にある。特に、携帯端末装置に搭載する場合は、表示装置自体の大きさが小さくなることから、画素サイズはさらに小さくなる。画素サイズが小さくなると、一画素で表現できる情報の大きさが小さくなるため、視覚効果が低くなるという問題がある。
【０００５】
本発明は、上記事情に鑑みてなされたものであって、視覚効果の高い表示を行うことができる携帯端末装置を提供することを目的としている。
【課題を解決するための手段】
【０００６】
本発明の携帯端末装置は、複数の発光素子と、前記複数の発光素子をそれぞれ選択的に駆動して、表示データに基づく表示を行わせる発光素子駆動手段と、を備える。上記構成によれば、複数の発光素子をそれぞれ選択的に駆動して、表示データに基づく表示を行わせる発光素子駆動手段を備えることにより、画素のサイズを拡大して表示を行うことができる為、視覚効果の高い表示を行うことができる。
【０００７】
また、本発明の携帯端末装置は、前記発光素子が、ＬＥＤ又は有機ＥＬであるものである。上記構成によれば、発光素子が、ＬＥＤであることにより、表示を明るく行うことができ、より視覚効果の高い表示を行うことができる。また、消費電力が少なく、長寿命のものを提供することができる。発光素子が、有機ＥＬであることにより、小型化及び低価格化が可能となる。
【０００８】
また、本発明の携帯端末装置は、電子メールに添付された表示データに基づいて、前記電子メールの着信タイミングで前記表示を行わせる着信処理手段を備える。上記構成によれば、電子メールに添付された表示データに基づいて、前記電子メールの着信タイミングで表示を行わせることにより、着信タイミングで表示データを表示できる為、電子メールの着信をユーザーに報知できる。また、発信者が好みのデザインの表示データを送信する電子メールに添付すれば、受信者が電子メールを読む前に、発信者の好みのデザインの表示データを表示できる為、発信者の気持ちや感性等を事前に受信者に理解してもらうことができる。
【０００９】
また、本発明の携帯端末装置は、イベントを検知するイベント検知手段と、前記イベントと各表示データとの対応を示すテーブルと、を備え、前記発光素子駆動手段が、前記テーブルを参照して、検知したイベントに対応する表示データに基づく表示を行わせるものである。上記構成によれば、発光素子駆動手段が、前記テーブルを参照して、検知したイベントに対応する表示データに基づく表示を行わせることにより、各種イベントが発生する度に対応する表示を行う為、携帯端末装置があたかも生き物のようにイベントに反応して表示を変化させることができる。また、ユーザーはイベントに対応する表示を見ることで、どのイベントが発生したかを直感的に把握できる。
【００１０】
また、本発明の携帯端末装置は、通信機能を有し、前記イベント検知手段が、着信を検知し、前記発光素子駆動手段が、着信中に、着信イベントに対応する表示データに基づく表示を行わせるものである。上記構成によれば、発光素子駆動手段が、着信中に、着信イベントに対応する表示データに基づく表示を行うことにより、表示を見ることで、着信していることを直感的に把握できる。
【００１１】
また、本発明の携帯端末装置は、通信機能を有し、前記イベント検知手段が、通信を検知し、前記発光素子駆動手段が、通信中に、通信イベントに対応する表示データに基づく表示を行わせるものである。上記構成によれば、発光素子駆動手段が、通信中に、通信イベントに対応する表示データに基づく表示を行わせることにより、表示を見ることで、通信中であることを直感的に把握できる。
【００１２】
また、本発明の携帯端末装置は、音声、画像、電波、電池残量等を検知するセンサと、前記センサの検知出力と各表示データとの対応を示すテーブルと、を備え、前記発光素子駆動手段は、前記テーブルを参照して、検知出力に対応する表示データに基づく表示を行わせるものである。上記構成によれば、発光素子駆動手段が、前記テーブルを参照して、検知結果に対応する表示データに基づく表示を行わせることにより、各種センサの検知結果の変化に対応する表示を行う為、あたかも携帯端末装置が生き物のように検知結果に反応して表示を変化させることができる。
【００１３】
また、本発明の携帯端末装置は、時刻及び日付を把握する機能と、前記時刻及び日付と各表示データとの対応を示すテーブルと、を備え、前記発光素子駆動手段が、前記テーブルを参照して、時刻及び日付に対応する表示データに基づく表示を行うものである。上記構成によれば、発光素子駆動手段が、前記テーブルを参照して、時刻及び日付に対応する表示データに基づく表示を行わせることにより、時刻及び日付の変化に対応する表示を行う為、時間帯や季節等に適した表示を行うことができる。
【００１４】
また、本発明の携帯端末装置は、表示データを作成及び変更する手段を備える。上記構成によれば、表示データを作成及び変更する手段を備えることにより、ユーザーの好みのデザインの表示データを作成したり、用意された表示データをユーザーの好みのデザインに変更することができる為、自分の感性、気持ち、センスなどを表現した表示データを表示して、携帯端末装置をカスタマイズできる。
【００１５】
さらに、本発明の携帯端末装置は、前記発光素子駆動手段が、複数の表示データを順次表示させるものである。上記構成によれば、表示部が、複数の表示データを順次表示することにより、動画像を鮮明に表示できる。
【発明の効果】
【００１６】
本発明の携帯電話装置によれば、複数の発光素子をそれぞれ選択的に駆動して、表示データに基づく表示を行わせる発光素子駆動手段を備えることにより、画素のサイズを拡大して表示を行うことができる為、視覚効果の高い表示を行うことができる。
【発明を実施するための最良の形態】
【００１７】
以下、本発明の最良の実施の形態について図面を用いて説明する。
【００１８】
（実施の形態１）
図１は、本発明の第一の実施の形態における携帯端末装置の斜視図である。
【００１９】
本発明の第一の実施の形態における携帯端末装置は、図１に示すように、箱状に形成した筐体１、２と、これらを互いに開閉可能に連結するヒンジ３とを有している。
【００２０】
そして、筐体を閉じた状態で、筐体１の内側になる面には、各種情報を表示する液晶表示装置などのメイン表示部４とレシーバ用の透孔５を有し、筐体を閉じた状態で筐体２の内側になる面には、多方向操作キー６、機能キー７、テンキー８などよりなる操作部９とマイク用の透孔１０を有している。
【００２１】
図２は前記携帯端末装置の筐体１、２を閉じた状態の斜視図である。図３は前記携帯端末装置の筐体１の図２におけるＡ−Ａの断面図である。筐体１、２は、いずれもプラスチックなどの成型体で構成されているが、筐体を閉じた状態で筐体１の外側になる面の中央部分は、透明カバー１ａで覆われるように構成されている。図２、図３に示すように、透明カバー１aに対向するように、筐体１の内部に設けられたプリント基板１２を設け、プリント基板１２上に複数の発光素子１１、例えば、複数の発光ダイオード（ＬＥＤ）を取り付けている。なお、透明カバー１ａは発光素子１１が消灯時には見えないように半透明のものである。そして、複数の発光素子１１は、待ち受け時に待ち受け表示、着信時に着信表示などを表示するサブ表示部１３としての機能を有している。
【００２２】
図４に、本実施の形態における携帯端末装置の電気的な概略構成を示すブロック図を示す。本実施の形態における携帯端末装置では、メイン表示部４、サブ表示部１３、操作部９などのほかに、相手との間で無線送受信を行う無線送受信部１４、相手との間で通信を行っている時に音声信号を入出力する音声信号入出力部１５、マイク１６、レシーバ１７、相手から呼出しがあったとき、その呼出信号を出力する呼出信号出力部１８、呼出音を出力するスピーカ１９、呼出時に筐体１、２を振動させる振動子２０、これらを総合的に制御する制御部２１、電話番号や名称などを保持する電子電話帳メモリ２２などを備えている。
【００２３】
次に図５、図６、図７を用いて、このように構成された本実施の形態における携帯端末装置について、その動作を詳細に説明する。
【００２４】
図５に本発明の実施の形態における携帯端末装置の動作のフローチャートを示す。本実施の形態における携帯端末装置は、先ず、待ち受け状態で着信しておらず（ステップＳ１）、筐体１、２が閉じた状態であるとき（ステップＳ２）、サブ表示部１３にて、時刻、文字またはパターンなどを表示する（ステップＳ３）。すなわち、本実施の形態における携帯端末装置では、図示していないが、時計回路を有しており、操作部９の操作によって、サブ表示部１３で時刻を表示するように設定した場合、図６のように筐体１、２が閉じた待ち受け状態でサブ表示部１３が時刻を表示するように構成している。また、筐体１、２が開いた状態であるとき（ステップＳ２）、メイン表示部４にて、時刻などの待ち受け表示を行う（ステップＳ６）。この時、図示していないが、電源ボタンを押下するなどで電源ＯＦＦとなった場合（ステップ４）、携帯端末装置は終了する（ステップＳ５）。
【００２５】
次に、図５、図７を用いて、本実施の形態における携帯端末装置にて、電話通信することについて説明する。
【００２６】
前記携帯端末装置は無線送受信部１４を通して相手と電話通信することが可能である。  ここで相手から電話があった場合には（ステップＳ１）、図７のフローチャートのステップＳ７に移り、着信信号を無線送受信部１４で受信し、制御部２１の制御により、呼出信号出力部１８より所定の呼出信号を出力する。呼出信号出力部１８から所定の呼出信号を出力すると、スピーカ１９が所定の呼出音を出力し、振動子２０が振動する（ステップＳ７）。
【００２７】
そして、相手から電話があった場合に筐体１、２を閉じていた場合には（ステップＳ８）、制御部２１の制御により、サブ表示部１３に相手の電話番号や相手の名称などを表示する（ステップＳ９）。すなわち、相手から電話があった場合に筐体１、２を閉じていた場合には、それが、図示していないが、筐体１、２を閉じているか、開いているかを検出する検出手段の出力に基づいて、制御部２１が相手から電話があった状態で筐体１、２が閉じられていると判断し、制御部２１の制御により、図示しない基地局を介して携帯電話通信網より送信された相手の電話番号、或いは、その電話番号を基に、電子電話帳メモリ２２に登録された相手の名称などを出力し、サブ表示部１３に表示する。
【００２８】
サブ表示部１３での表示は、制御部２１の制御により、複数の発光素子１１をそれぞれ選択的に駆動し、発光素子１１で任意の文字、数字、記号、パターンなどを表示する駆動手段（図示せず）を用いて、複数の発光素子１１の中の必要な発光素子１１のみを発光させることにより行う。このようにして、必要な発光素子１１のみを発光させると、その必要な発光素子１１からの光が透明カバー１ａを通して筐体１の外部に放出されるため、放出された光によって相手の電話番号、氏名などの情報を容易に認識することができる。
【００２９】
なお、この場合、上記必要な発光素子１１を予め定めた一定時間間隔で点滅させることも可能であり、このように点滅させた場合には、着信をより明確に表示することができる。
【００３０】
以上、このようにして、相手からの呼出しを感知したのち、筐体１、２を開くと（ステップＳ１０）、サブ表示部１３の表示が消えてサブ表示部１３に表示していた相手の電話番号、氏名などをそれぞれメイン表示部４に表示する（ステップＳ１１）。そして、この状態で、操作部９を用いて、相手からの呼出に対し応答するための操作を行うと（ステップＳ１２）、制御部２１の制御により、呼出音出力部１８からの出力を停止し、呼出音を消し、振動を停止し、更に、制御部２１の制御により、無線送受信部１４、音声信号入出力１５を通しての相手との通話回路が形成し、マイク１６、レシーバ１７を用いて相手と通話状態になる。
【００３１】
相手から電話があった場合に筐体１、２を既に開いていた場合には（ステップＳ８）、それを制御部２１で判断し、制御部２１の制御により、相手の電話番号、氏名などの情報を直接メイン表示部４に表示する（ステップＳ１５）。したがって、この場合には、メイン表示部４で相手の電話番号、氏名などを確認し、応答操作すれば、同様に、マイク１６、レシーバ１７を用いて相手と通話可能な状態になる。
【００３２】
したがって、筐体１、２が互いに閉じられた状態で相手から電話があった場合には、サブ表示部１３の表示が、制御部２１の制御により、時刻や文字、パターンの表示から相手の電話番号、氏名などの表示に自動的に切り替えられる。
【００３３】
相手と通話状態になった後、機能キー７の一つである終話キーを操作することや、相手が通話を終了することにより、通話終了となり（ステップ１４）、待ち受け状態に戻る（ステップＳ１）。
【００３４】
相手に電話をする場合には、筐体１、２を開き、操作部９を用いて相手の電話番号を入力する、或いは、電子電話帳メモリ２２より相手の電話番号を呼出して、メイン表示部４に相手の電話番号を表示する。そして、この状態で機能キー７の一つである発信キーを操作する。発信キーを操作すると、メイン表示部４に表示された相手の電話番号が、制御部２１の制御により、無線送受信部１４を通して図示しない基地局を介して携帯電話通信網に送信を行い、相手が呼出される。相手が応答すれば、その情報が携帯電話通信網から送信され、それを無線送受信部１４で受信し、制御部２１の制御により、マイク１６、レシーバ１７を通して相手と通話することができるようになる。
【００３５】
また、本実施の形態では、サブ表示部１３の表示を、操作部９の操作によって予め設定することにより、電光表示板のように、一辺から他辺にそれぞれ流れるように表示することが可能である。したがって、このように設定した場合には、表示そのものをサブ表示部１３一杯に大きく表示して流れるように表示することができ、時刻や電話番号、氏名などを誤りなく正確に確認することが可能になる。
【００３６】
また、サブ表示部１３の表示を、操作部９の操作によって、予め設定することにより、文字、数字、パターンなど表示するのに装置の発光素子の数を変えずに、発光を行う発光素子の数を変更することが出来る。これにより、文字、数字、パターンなどを小さく表示し、発光素子に複数行や複数文字分表示を行うことや、文字、数字、記号、パターンなどを発光素子全体でするように大きく表示することが可能であり、表示する情報の大きさを任意に変更することが出来る。
【００３７】
そして、本実施の形態によれば、着信時にサブ表示部１３で相手の電話番号、氏名などを浮き上がるように表示でき、別個に着信表示用の発光ダイオードを設けることなく、着信を容易に検知することができると言う効果を有する。
【００３８】
以上、説明したように、本実施の形態では、筐体を閉じた状態で筐体１の外側になる面に透明カバー１ａを有し、この透明カバー１ａと筐体１の間に、多数の発光素子をマトリックス状に配置してサブ表示部１３を構成しており、サブ表示部１３を任意に大きく形成することが可能であり、表示される文字、数字、パターンなどを流れるように表示することも可能であり、文字、数字、パターンなどは透明カバー１ａを通して浮き上がるように表示され、非常にユニークで見やすいと言う利点を有する。
【００３９】
なお、本実施の形態では、発光素子１１として発光ダイオードを用いたが、有機ＥＬ等、その他の発光素子を用いても良い。発光素子として有機ＥＬを用いれば、小型化及びコスト削減が可能となる。また、本実施の形態では、単に発光素子を用いると説明しただけであるが、これらは、色の三原色をそれぞれ発光する発光素子であってもよい。色の三原色をそれぞれ発光する発光素子の場合、それらを組み合わせてカラー表示可能なサブ表示部とすることも可能である。発光素子として有機ＥＬを用いる場合、有機ＥＬの複数画素をひとまとめにしてＬＥＤ１画素相当の大きさの一表示領域とし、一表示領域単位で発光制御する。これにより、画素のサイズを拡大して表示を行うことができる。
【００４０】
また、本実施の形態では、筐体を閉じた状態で筐体１の外側になる面の中央部分に透明カバー１ａを設け、この透明カバー１ａと筐体１の間に、多数の発光素子をマトリックス状に配置しているが、透明カバー１ａは、筐体を閉じた状態で筐体１の外側になる面の中央部分に限らず、他の部分でもよく、また、筐体を閉じた状態で、筐体１、２の外側になる面の全面であっても良い。また透明カバー１ａの透明の程度は発光素子の光が外から見えればよく、透明であってもよい。そして、透明カバー１ａの色は、透明カバー１ａ以外の部分の色と互いに異なっても良いが、同色であっても良い。同色の場合には、文字、数字、パターンなどを表示していない場合に単なる筐体と見え、デザイン的にシンプルであり、文字、数字、パターンなどが表示された場合に初めて表示部分であることに気づくといった従来の携帯端末の液晶表示装置とは違ったユニークさを演出することができる。
【００４１】
（実施の形態２）
本発明の第二の実施の形態に係る携帯端末装置について説明する。本発明の第二の実施の形態の携帯端末装置では電子メール機能を持たせ、電子メールの着信状態を表示するようにしている。例えばメールを受信した時には、図８のように封筒のパターンを表示することができる。なお、図８では封筒のパターンの輪郭部分を消灯とし、その他の部分を点灯して表示している。そのため、すでに述べられたカラー表示可能な発光素子を使用すると、いろいろな色の表示を行うことが可能である。
【００４２】
また筐体１、２を開放した状態においてインターネット、ゲーム、カメラ、その他、適宜行えるように構成しても良い。そして電子メール、インターネットなどで入手した情報やゲームなどを、それぞれ操作部９の操作に応じて、サブ表示部１３で表示し、使用できるように構成すれば、更にユニークな携帯端末装置とすることが可能である。
【００４３】
（実施の形態３）
図９は、本発明の第三の実施の形態における携帯端末装置の斜視図である。本発明の第三の実施の形態の携帯端末装置ではオーディオＣＤを再生する機能を持ち、サブ表示部１３に、装置の状態や、挿入したＣＤの情報などを表示する。例えばオーディオＣＤを再生中の時には、図１０のようにメイン表示部４で演奏時間の情報を表示し、サブ表示部１３にて再生中であることを示す情報を表示する。このため、複数の情報を表示することが可能である。
【００４４】
（実施の形態４）
次に、本発明の第四の実施の形態における携帯電話装置について説明する。本実施の形態の携帯電話装置は、図１に示す携帯端末装置と同様の構成を有する。以下、図１に示す携帯端末装置と異なる点を中心に説明する。本実施の形態の携帯電話装置は、図１の携帯端末装置の構成に加え、電話やメールの着信、通信等のイベントを検知する手段と、イベントと各表示データとの対応を示すテーブルとを備える。そして、本実施の形態の制御部２１（発光素子駆動手段）は、テーブルを参照して、検知したイベントに対応する表示データに基づいて、後述するエモーションエリア３２にマトリックス表示を行う。
【００４５】
図１１（ａ）は、本実施の形態の携帯電話装置の折り畳んだ状態の外観を示す。本実施の形態の携帯電話装置のサブ表示部１３は、折り畳んだ状態で視認可能なように、携帯電話装置の外側表面の中央部に配置される。
【００４６】
図１１（ｂ）は、サブ表示部１３の構成を示す。本実施の形態のサブ表示部１３は、情報エリア３１とエモーションエリア３２に分けて表示が行われる。情報エリア３１は、時計表示および携帯電話装置の状態表示等、従来と同様に液晶表示装置による情報表示を行う。状態表示としては、アンテナ感度、電池残量、発信者名前、不在着信有り、メール有りの表示等を行う。
【００４７】
エモーションエリア３２は、大型の７×７ドットマトリックス表示が可能で、後述するように、操作部９のテンキー８および機能キー７から所定のフォーマットを入力することにより、自分の好みのオリジナルドットパターンを表示することができる。
【００４８】
エモーションエリア３２は、例えば、７×７ドットの発光ダイオードにより構成される。この発光ダイオードは、輝度の強弱を制御することによって、ホタルのような点灯形態、視認性を高めた点灯形態、あるいは残像現象を利用した点灯形態をとることができる。また、３色発光ダイオードにより、カラフルなイメージを表現することができる。
【００４９】
また、図１２（ａ）に示すように、サブ表示部１３を覆う透明カバー（ジャケット）１ａとの連携を行うことにより、発光ダイオードの発光色のフィルタリング、発光形状のフィルタリング、ジャケットの柄と光の動きの組み合わせを自由に選択することができる。
【００５０】
また、着信時に、ジャケットあるいは他の表面（パネル）の種類によって発光ダイオードの色や形、動きを変化させることもできる。例えば、パネルが黒色の場合は、インテリジェンスを表わすような落ち着いた動きとし、パネルがオレンジ色の場合は、ドットの動きを早くしてアクティブな感じを表わし、パネルが白い場合は、色や動きをキュートな感じにすることもできる。
【００５１】
また、本実施の形態の携帯電話装置は、エモーションエリア３２の表示データのフォーマットを決めることにより、操作部９のテンキー８および機能キー７から自分の好みのオリジナルドットパターンを入力することができる。さらに、パーソナルコンピュータ（ＰＣ）、他の携帯電話装置、インターネット・サイト（ウェブ）のコンテンツからフォーマット化されたドットパターン・データを自由に転送することもできる。
【００５２】
この場合、ドットパターンのデータ量は少ないため、一旦データを携帯電話装置に保存することなく直接再生することができるので、フォーマット化されたドットパターン表示データをメールに添付して送信し、受信した携帯電話装置で、メール本文を読む前に、ドットパターンを見ることができる。この動作については後述する。また、そのドットパターンは送信者が容易に作成することができるので、メール本文だけでは伝えることができない感情や雰囲気を自由に表現することができる。
【００５３】
このようにエモーションエリア３２には、携帯電話装置の持ち主が自由にオリジナルパターンを表示することができるので、その携帯電話装置に対する愛着につながるような表示を行うことができる。例えば、感性の表現として、送信相手にメールが着信した時に、メール本文に使われている絵文字に応じてその携帯電話装置のサブ表示部１３を点滅させる形態が可能になる。すなわち、このメールの取り込みに応じて、図１２（ｂ）に示すように、４９マスの発光ダイオードを全点灯させる。あるいは、図１３（ａ）に示すように、封筒の輪郭を表わすメールマークが浮き出るように点灯させることもできる。
【００５４】
また、メールの発信者が、フォーマットに従って操作部９からテーブルに関する所定の設定をすることにより、メールの内容に連動させて喜怒哀楽の感情を表現することができる。例えば、喜びを表わす場合は、メールマークが飛び跳ねるように動き、怒っている気持ちを表わしたい場合は、メールマークが赤く発光して弾けるように動くようにしてもよい。また、哀しい気分を表現するために、メールマークが崩れ落ちるように動き、楽しい気分の時は、メールマークが黄色に発光するようにしてもよい。
【００５５】
また、待ち受け期間に、エモーションエリア３２にアニメーションを表示する「待受ドットアニメ」をオリジナル作成することができる。すなわち、エフェクトテンプレートを利用して７×７マスの静止ドット画を作成することにより、スイング、フェードアウトなどのアニメーションを簡単に作成することができる。また、このようなアニメーションを所定のサイトからダウンロードすることも可能である。
【００５６】
また、電話あるいはメールが着信した時に表示する「着信ドットアニメ」をオリジナルに作成することもできる。例えば、図１３（ｂ）は、電話が着信した時のハートマーク（静止ドット画）を示す。このハートマークを、エフェクトテンプレートを利用して作成し、スイング、フェードアウトなどの動作をさせることにより、電話が着信した時の期待感を演出することができる。この場合のアニメーションデータも所定のサイトからダウンロードすることができる。
【００５７】
また、エモーションエリア３２にオリジナルパターンを表示することにより、携帯電話装置にペット感覚あるいは感情移入を行うような演出をすることもできる。すなわち、情報エリア３１に表示されるアンテナ感度等の状態表示をパラメーターとしたテーブル（状態表示と各表示データとの対応を示すテーブル）を備えることにより、「感情」表現を演出することができる。
【００５８】
例えば、情報エリア３１にはアンテナ感度が表示されるが、その表示は小さくあまり目立たないが、図１４（ａ）に示すように、エモーションエリア３２に大きくアイコン表示して視認性を向上することができる。特に、通信圏外あるいは電池残量が少なくなった場合等に、エモーションエリア３２で大きく表示することにより、その旨をユーザーに確実に伝えることができる。
【００５９】
また、テーブルの設定により、携帯電話装置の使用時には、エモーションエリア３２の発光ダイオードを微小時間間隔で順次点滅させることにより、使用中を連想させる流れるようなイメージを表示することができる。さらに、発信／通話／基地局サーチ／センター問合せ／情報取得／非接触ＩＣ／顔認証／音楽再生／音声認識等の携帯電話装置の使用形態に応じて、それらの機能の使用中を表示することにより、携帯電話装置への愛着を高める演出を行うこともでき、また使用時の躍動感を表現することもできる。
【００６０】
例えば、通話中に、図１４（ｂ）に示すように、エモーションエリア３２の１ドットが不規則に動いたり、声の大きさによってそのスピードが変化したり、電波状況によって光の強さが変化したり、通話時間によってドットの数を増加させるようにしてもよい。
【００６１】
また、待ち受け時には、エモーションエリア３２の４マスの点灯などでハードビートや鼓動を表現し、携帯電話装置にペット感覚を持てるような演出をすることができる。なお、待ち受け時の点灯は、待受時間の関係からＯＦＦ機能が必要である。また、携帯電話装置の使用を終了する場合、例えば、通話、サイトの閲覧、カメラ使用等の使用形態に応じて、携帯電話装置を閉じた時に異なる表示をさせてもよい。
【００６２】
また、時刻及び日付と各表示データとの対応を示すテーブルを備えることにより、使用環境に応じた気配りを表現することができる。例えば、定期的な時刻表示を行う場合、図１５（ａ）に示すように、鳩時計風に定期的にエモーションエリア３２で時刻表示を行い、リラックスした雰囲気を演出することができる。また、時間確認はサイドボタンを押して確認するようにしてもよく、夜の時間帯では、所定時間毎に表示して、さりげなく時間の経過を知らせるようにしてもよい。
【００６３】
また、３色発光ダイオードを使用して季節感を表現するために、携帯電話装置のカレンダー機能と連動して、夏は青く、冬はオレンジ色に点灯し季節感にあった演出を行うことができる。また、情報表示として、例えば、図１５（ｂ）に示すように、天気予報サイトから入手した天気予報を、傘マーク、太陽マークなどで表示し、楽しい気分を演出することができる。
【００６４】
このように本実施の形態の携帯電話装置は、エモーションエリア３２において７×７ドットマトリックス動画表示を行うことができる。また、エモーションエリア３２に表示させるデータをフォーマット化することにより、オリジナルデザインの表示データを作成、修正、蓄積および転送することができる。
【００６５】
本実施の形態の携帯電話装置では、上記の機能を、携帯電話装置の内部メモリに格納したプログラムに従って制御部２１が実行する。制御部２１は、メイン表示部４およびサブ表示部１３に含まれる複数の発光素子をそれぞれ選択的に駆動させ、所定の情報を表示させる発光素子駆動機能、エモーションエリア３２の７×７ドットマトリックス表示をフォーマット化表示データに変換する機能、フォーマット化表示データから７×７ドットマトリックス表示に変換する機能及び携帯電話装置の操作部９でフォーマット化表示データを作成する機能を有する。
【００６６】
また、制御部２１は、フォーマット化表示データを携帯電話装置の内部メモリに読み出し／書き込みする機能、携帯電話装置の送受信機能を使いフォーマット化表示データをウェブから入手する機能、携帯電話装置の送受信機能を使いフォーマット化表示データを携帯電話装置同士で転送する機能及びフォーマット化表示データを携帯電話装置の外部メモリに読み出し／書き込みする機能を有する。
【００６７】
さらに、制御部２１は、パーソナルコンピュータで作成したフォーマット化表示データをマトリックス表示データに変換する機能、携帯電話装置の外部Ｉ／Ｆ（ＵＳＢ、ＩｒＤＡ等）でフォーマット化表示データを転送する機能、メール送信時（音声通話発信時）に送られるメール情報に表示情報を添付し、この情報から着信時にエモーションエリア３２で事前に表示する機能及び携帯電話装置に備え付けられた外部センサー（マイク、カメラ、無線受信部等）で所定のイベントを検出した時に、エモーションエリア３２で７×７ドットマトリックス表示を行う機能を有する。
【００６８】
図１６は、本実施の形態の携帯電話装置において、サブ表示部１３のエモーションエリア３２にマトリックス表示するための背面ディスプレイ動画情報フォーマットの１例を示す。図１６（ａ）は、動画全体への指定情報のフォーマットであり、表示コマ数（繰り返し）情報、表示条件等を指定する。
【００６９】
図１６（ｂ）は、表示コマ毎の情報であり、ドットパターン情報、表示時間情報、輝度情報、色情報が含まれる。
【００７０】
図１７は、本実施の形態の携帯電話装置において、内部メモリまたは外部メモリ（メモリカード等）にサブ表示データを修正して保存する動作を示すフローチャートである。
【００７１】
内部メモリまたは外部メモリにサブ表示データを修正して保存する場合、制御部２１は、まず、サブ表示データが内部メモリに格納されているかどうかを判断する（ステップＳ２１）。その結果、サブ表示データが内部メモリに格納されている場合は、内部メモリよりサブ表示データを読み出し（ステップＳ２２）、サブ表示データが外部メモリに格納されている場合は、外部メモリよりサブ表示データを読み出す（ステップＳ２３）。
【００７２】
次に、サブ表示データを修正するかどうかを判断し（ステップＳ２４）、修正する場合は、サブ表示データを修正する（ステップＳ２５）。そして、携帯電話装置の画面でサブ表示データのシュミレーション表示を行い（ステップＳ２６）、修正完了かどうか判断する（ステップＳ２７）。
【００７３】
次に、修正したサブ表示データを内部メモリに格納するかどうかを判断し（ステップＳ２８）、内部メモリに格納する場合は、サブ表示データを内部メモリに書き込む（ステップＳ２９）。また、外部メモリに格納する場合は、サブ表示データを外部メモリに書き込む（ステップＳ３０）。
【００７４】
図１８は、本実施の形態の携帯電話装置において、メール着信時に発信者のサブ表示情報により自動再生表示を行う動作を示すフローチャートである。本実施の形態の携帯電話装置において、メールが着信した場合は（ステップＳ３１）、そのメールに添付ファイルが有るかどうかを判断し（ステップＳ３２）、添付ファイルが有る場合は、拡張子がサブ表示データかどうか判断する（ステップＳ３３）。
【００７５】
拡張子がサブ表示データの場合は、サブ表示データを内部サブ表示エリアに書き込み（ステップＳ３４）、メール着信時のサブ表示処理を行う（ステップＳ３５）。一方、ステップＳ３３において、拡張子がサブ表示データでない場合は、一般添付ファイルとしてメール添付ファイルエリアに書き込み（ステップＳ３６）、携帯電話装置に備えられたメール着信時のサブ表示処理を行う（ステップＳ３７）。なお、ステップＳ３２において、添付ファイルがないと判断された場合も、携帯電話装置に備えられたメール着信時のサブ表示処理を行う（ステップＳ３７）。次に、着信メール内容の読み出し処理を行い（ステップＳ３８）、処理を終了する。
【００７６】
このように本実施の形態の携帯電話装置によれば、サブ表示部１３の一部で複数の発光素子１１による動画表示を行うことにより、視覚効果の高い表示が可能となる。また、創造的で自由な表示（表現）が可能となる。また、この表示データをフォーマット化することにより、オリジナルデザインの表示データを作成、修正、蓄積、転送することが可能となり、表示する時間、場所の制約がなくなり多くの場所、時間で表示が可能となる。また、自分の感性、気持ち、センスなどを簡単にオリジナルで自作することができ、自由に携帯電話装置の背面ディスプレイに表示させることができる。
【００７７】
また、本実施の形態の携帯電話装置によれば、表示データをフォーマット化することにより、携帯電話装置あるいはパーソナルコンピュータ（ＰＣ）で作成、修正が可能となり、ウェブ・コンテンツからダウンロードが可能となる。また、ＰＣや他の携帯電話装置から転送が可能となり、メモリカード等の外部メモリからも転送が可能となりオリジナルな表示データを自由に取り扱うことが可能となる。
【００７８】
したがって、他人が作ったマトリックス動画表示をいろいろな手段で入手し、さらに自分で修正をすることによりオリジナルなマトリックス動画表示を簡単に作成することができ、自由に携帯電話装置の背面ディスプレイに表示させることができる。
【００７９】
また、本実施の形態の携帯電話装置によれば、メールの送信時に、表示データをメール本体に添付して送信し、着信タイミングで表示することにより、受信者がメールを読む前に、携帯電話装置の背面ディスプレイに表示データを表示させ発信者の気持ちや感性等を事前に受信者に理解してもらうことができる。
【００８０】
また、本実施の形態の携帯電話装置によれば、外部センサー（マイク、カメラ、無線受信部等）の検知出力と各表示データとの対応を示すテーブルを備えることにより、外部センサーと連動させて外部センサーが所定のイベントを検出したときに、オリジナルな表示をさせることができる。したがって、携帯電話装置に装備されている各種センサーと連動させて所定の変化に合わせて好みの表示を行うことにより、あたかも携帯電話装置が生き物のように反応させて背面ディスプレイに表示させることができる。
【産業上の利用可能性】
【００８１】
本発明にかかる携帯端末装置は、複数の発光素子をそれぞれ選択的に駆動して、表示データに基づく表示を行わせる発光素子駆動手段を備えることにより、画素のサイズを拡大して表示を行うことができる為、視覚効果の高い表示を行うことができる効果を有し、携帯電話装置、ＰＤＡ、ポータブルＣＤプレイヤーやゲーム機など携帯端末装置に適用できる。
【図面の簡単な説明】
【００８２】
【図１】本発明の第一の実施の形態における携帯端末装置の筐体を開いた状態の斜視図
【図２】本発明の第一の実施の形態における携帯端末装置の筐体を閉じた状態の斜視図
【図３】本発明の第一の実施の形態における携帯端末装置の部分断面図
【図４】本発明の第一の実施の形態における携帯端末装置の電気的な概略構成を示すブロック図
【図５】本発明の第一の実施の形態における携帯端末装置の動作を示すフローチャート
【図６】本発明の第一の実施の形態における携帯端末装置の時刻を表示した状態の斜視図
【図７】本発明の第一の実施の形態における携帯端末装置の着信時の動作を示すフローチャート
【図８】本発明の第二の実施の形態における携帯端末装置の電子メールの着信時の状態の斜視図
【図９】本発明の第三の実施の形態における携帯端末装置のオーディオＣＤの斜視図
【図１０】本発明の第三の実施の形態における携帯端末装置のオーディオＣＤ再生中の状態の斜視図
【図１１】本発明の第四の実施の形態における携帯電話装置の折り畳んだ状態の外観図（ａ）およびサブ表示部の概略図（ｂ）
【図１２】本発明の第四の実施の形態におけるエモーションエリアにおけるマトリックス表示の例（１）を示す図
【図１３】本発明の第四の実施の形態におけるエモーションエリアにおけるマトリックス表示の例（２）を示す図
【図１４】本発明の第四の実施の形態におけるエモーションエリアにおけるマトリックス表示の例（３）を示す図
【図１５】本発明の第四の実施の形態におけるエモーションエリアにおけるマトリックス表示の例（４）を示す図
【図１６】本発明の第四の実施の形態における動画情報フォーマットの情報構成図
【図１７】本発明の第四の実施の形態における携帯電話装置のサブ表示部データの修正及び保存動作を示すフローチャート
【図１８】本発明の第四の実施の形態における携帯電話装置のメール着信時の自動再生表示動作を示すフローチャート
【符号の説明】
【００８３】
１、２  筐体
１ａ  透明カバー（ジャケット）
３  ヒンジ
４  メイン表示部
５  レシーバ用の透孔
６  多方向操作キー
７  機能キー
８  テンキー
９  操作部
１０  マイク用の透孔
１１  発光素子
１２  プリント基板
１３  サブ表示部
１４  無線送受信部
１５  音声信号入出力部
１６  マイク
１７  レシーバ
１８  呼出信号出力部
１９  スピーカ
２０  振動子
２１  制御部
２２  電子電話帳メモリ
３１  情報エリア
３２  エモーションエリア
【図１】
2006033220.tif 000003
【図２】
2006033220.tif 000004
【図３】
2006033220.tif 000005
【図４】
2006033220.tif 000006
【図５】
2006033220.tif 000007
【図６】
2006033220.tif 000008
【図７】
2006033220.tif 000009
【図８】
2006033220.tif 000010
【図９】
2006033220.tif 000011
【図１０】
2006033220.tif 000012
【図１１】
2006033220.tif 000013
【図１６】
2006033220.tif 000014
【図１７】
2006033220.tif 000015
【図１８】
2006033220.tif 000016
【図１２】
2006033220.tif 000017
【図１３】
2006033220.tif 000018
【図１４】
2006033220.tif 000019
【図１５】
2006033220.tif 000020